(57)【要約】      （修正有）【課題】電子スタンプ付与手段を用いた電子スタンプ付与方法を提供する。【解決手段】電子スタンプ付与手段６と、前記電子スタンプ付与手段に対応する電子スタンプカード２３０を保持する携帯端末と、を有し、前記電子スタンプ付与手段と前記携帯端末との間の認証処理を含む電子スタンプ付与処理に基づいて、前記携帯端末の前記電子スタンプカードに電子スタンプ２４０を付与する電子スタンプ付与信号を生成する。【選択図】図１
2016106286.tif 000002
【特許請求の範囲】
【請求項１】
電子スタンプ付与手段と、前記電子スタンプ付与手段に対応する電子スタンプカードを保持する携帯端末と、を有し、
前記電子スタンプ付与手段と前記携帯端末との間の認証処理を含む電子スタンプ付与処理に基づいて、前記携帯端末の前記電子スタンプカードに電子スタンプを付与する電子スタンプ付与信号を生成することを特徴とする電子スタンプ付与方法。
【請求項２】
電子スタンプ付与手段と、前記電子スタンプ付与手段に対応する電子スタンプカードを保持する携帯端末と、を有し、
前記電子スタンプ付与手段と前記携帯端末との間で認証処理した後に、前記電子スタンプ付与手段又は前記携帯端末の所定の操作に基づいて、前記携帯端末の前記電子スタンプカードに電子スタンプを付与する電子スタンプ付与信号を生成することを特徴とする電子スタンプ付与方法。
【請求項３】
前記携帯端末が前記電子スタンプ付与手段の付与手段識別情報に基づいて前記認証処理を実行することを特徴とする請求項１又は２に記載の電子スタンプ付与方法。
【請求項４】
前記電子スタンプ付与手段が前記携帯端末の携帯端末識別情報に基づいて前記認証処理を実行することを特徴とする請求項１又は２に記載の電子スタンプ付与方法。
【請求項５】
前記携帯端末及び前記電子スタンプ付与手段の少なくとも一方に接続されたサーバが、前記携帯端末の携帯端末識別情報及び前記電子スタンプ付与手段の付与手段識別情報に基づいて前記認証処理を実行することを特徴とする請求項１又は２に記載の電子スタンプ付与方法。
【請求項６】
前記携帯端末及び前記電子スタンプ付与手段の少なくとも一方に接続されたサーバが、電子スタンプカードを生成するための情報を前記携帯端末に送信し、
前記携帯端末が前記送信された電子スタンプカードを生成するための情報に基づいて表示画面に前記電子スタンプカードを表示することを特徴とする請求項１乃至５の何れか１項に記載の電子スタンプ付与方法。
【請求項７】
前記電子スタンプ付与手段を備える店舗に対して、前記店舗に対応する電子スタンプカードの発行枚数及びその電子スタンプカードに付与された電子スタンプの個数の少なくとも一方に応じて、所定の金額を課金することを特徴とする請求項１乃至６の何れか１項に記載の電子スタンプ付与方法。
【請求項８】
前記電子スタンプの個数に応じて課金された金額のうちの所定の割合の金額を前記携帯端末の利用者に還元することを特徴とする請求項７に記載の電子スタンプ付与方法。
【請求項９】
対応する電子スタンプカードを保持する携帯端末に対し、前記携帯端末の前記電子スタンプカードに電子スタンプを付与する電子スタンプ付与信号を生成させるための電子スタンプ付与手段であって、
前記電子スタンプ付与手段と前記携帯端末に備わるタッチスクリーンとの接触に基づいて、前記電子スタンプ付与信号が生成されることを特徴とする電子スタンプ付与手段。
【請求項１０】
対応する電子スタンプカードを保持する携帯端末に対し、前記携帯端末の前記電子スタンプカードに電子スタンプを付与する電子スタンプ付与信号を生成させるための電子スタンプ付与手段であって、
前記電子スタンプ付与手段は、前記電子スタンプ付与信号を前記携帯端末に送信するボタンを有することを特徴とする電子スタンプ付与手段。
【請求項１１】
対応する電子スタンプカードを保持する携帯端末に対し、前記携帯端末の前記電子スタンプカードに電子スタンプを付与する電子スタンプ付与信号を生成させるための電子スタンプ付与手段であって、
前記携帯端末の表示画面に押し当てることにより可動する可動部を有し、前記可動部が可動することに基づいて、前記電子スタンプ付与信号が生成されることを特徴とする電子スタンプ付与手段。
【請求項１２】
対応する電子的な書類に対し、電子スタンプを付与する電子スタンプ付与手段であって、
前記電子スタンプ付与手段と前記電子的な書類との間の認証に基づいて、前記電子的な書類に電子スタンプを付与することを特徴とする電子スタンプ付与手段。
【請求項１３】
電子的な書類に対し、電子スタンプを付与する電子スタンプ付与手段であって、
前記電子的な書類に電子スタンプを付与することによって、一定の認証を通過していることの証明として証明ＩＤを前記電子的な書類に付加することを特徴とする電子スタンプ付与手段。
【発明の詳細な説明】
【技術分野】
【０００１】
本発明は、電子的なスタンプカード及びスタンプを提供する技術に関し、特に、電子スタンプカードに電子スタンプを付与する方法及びそれに用いられる電子スタンプ付与手段に関する。
【背景技術】
【０００２】
一般に、飲食店、食料品店などの各種店舗では、店舗の利用と取り扱う商品の販売を促進するために、スタンプサービスを実施している。利用者は、商品を購入する際に、店舗に発行されたスタンプカードを提示し、スタンプカードにスタンプの押印を受ける。利用者は、スタンプカードに応じた所定の数のスタンプを獲得すると、各種の特典を得ることができる。そして、近年では、紙媒体のスタンプカードに代えて、電子的なスタンプカードとスタンプを用いるサービスも提案されている（例えば、特許文献１参照）。特許文献１には、店舗が設定したスタンプ付与規則に基づいてスタンプ情報を生成し、スタンプ情報を付与したスタンプカードを生成する携帯端末が開示されている。
【先行技術文献】
【特許文献】
【０００３】
【特許文献１】特開２０１１−１８６７７３号公報
【発明の概要】
【発明が解決しようとする課題】
【０００４】
特許文献１に記載された携帯端末では、利用者に意識させることなく自動的にポイント付与後のスタンプカードを提供することができるとされている。しかしながら、利用者にとっては、電子スタンプの付与の過程を認識できないので、電子スタンプが押印されたとの実感を得にくい。
【０００５】
また、特許文献１に記載された携帯端末では、店舗によって事前に設定されるスタンプ付与規則に基づいてポイントが付与される。しかしながら、通常、店舗にとって、スタンプ付与規則の設定を頻繁に変更することは難しく、煩雑な作業でもある。また、管理プログラムにもよるが利用者の要望に応じて、スタンプ付与規則を細かく設定することは難しい。すなわち、かかる携帯端末は、必要に応じて店舗が主体的にスタンプを付与したい場合や、店側の裁量によって追加的なスタンプを付与したい場合に適用することが難しい。
【０００６】
また、特許文献１に記載のスタンプ管理システムの一態様では、携帯端末がポイント付与処理などを実行することにより、サーバ側の負荷を軽減し、通信コストも削減できるとされている。しかしながら、近年の多機能携帯電話（スマートフォン、ｉ−ｐｈｏｎｅ（登録商標））は、複数のアプリケーションプログラムをメモリ領域に常駐させて利用する場合が多いため、一のアプリケーションプログラムによる処理が増大すると全体の処理に影響する虞がある。
【０００７】
本発明は、前述した問題に鑑みてなされたものであって、かかる問題の少なくとも一部を解決することができるスタンプ付与方法を提供することを目的とする。
【課題を解決するための手段】
【０００８】
前述した課題を解決するため、本発明の電子スタンプ付与方法は、電子スタンプ付与手段と、前記電子スタンプ付与手段に対応する電子スタンプカードを保持する携帯端末と、を有し、前記電子スタンプ付与手段と前記携帯端末との間の認証処理を含む電子スタンプ付与処理に基づいて、前記携帯端末の前記電子スタンプカードに電子スタンプを付与する電子スタンプ付与信号を生成することを特徴とする。
【０００９】
また、本発明の電子スタンプ付与方法は、電子スタンプ付与手段と、前記電子スタンプ付与手段に対応する電子スタンプカードを保持する携帯端末と、を有し、前記電子スタンプ付与手段と前記携帯端末との間で認証処理した後に、前記電子スタンプ付与手段又は前記携帯端末の所定の操作に基づいて、前記携帯端末の前記電子スタンプカードに電子スタンプを付与する電子スタンプ付与信号を生成することを特徴とする。
【００１０】
上記電子スタンプ付与方法において、前記携帯端末が前記電子スタンプ付与手段の付与手段識別情報に基づいて前記認証処理を実行してもよい。また、前記電子スタンプ付与手段が前記携帯端末の携帯端末識別情報に基づいて前記認証処理を実行してもよい。さらに、前記携帯端末及び前記電子スタンプ付与手段の少なくとも一方に接続されたサーバが、前記携帯端末の携帯端末識別情報及び前記電子スタンプ付与手段の付与手段識別情報に基づいて前記認証処理を実行してもよい。
【００１１】
また、前記携帯端末及び前記電子スタンプ付与手段の少なくとも一方に接続されたサーバが、電子スタンプカードを生成するための情報を前記携帯端末に送信し、前記携帯端末が前記送信された電子スタンプカードを生成するための情報に基づいて表示画面に前記電子スタンプカードを表示することが好ましい。
【００１２】
加えて、前記電子スタンプ付与手段を備える店舗に対して、前記店舗に対応する電子スタンプカードの発行枚数及びその電子スタンプカードに付与された電子スタンプの個数の少なくとも一方に応じて、所定の金額を課金することが好ましい。前記電子スタンプの個数に応じて課金された金額のうちの所定の割合の金額を前記携帯端末の利用者に還元することが好ましい。
【００１３】
本発明の電子スタンプ付与手段は、対応する電子スタンプカードを保持する携帯端末に対し、前記携帯端末の前記電子スタンプカードに電子スタンプを付与する電子スタンプ付与信号を生成させるための電子スタンプ付与手段であって、前記電子スタンプ付与手段と前記携帯端末に備わるタッチスクリーンとの接触に基づいて、前記電子スタンプ付与信号が生成されることを特徴とする。また、前記電子スタンプ付与手段は、前記電子スタンプ付与信号を前記携帯端末に送信するボタンを有してもよい。さらに、前記電子スタンプ付与手段が、前記携帯端末の表示画面に押し当てることにより可動する可動部を有し、前記可動部が可動することに基づいて、前記電子スタンプ付与信号が生成されてもよい。
【００１４】
本発明の別の電子スタンプ付与手段は、対応する電子的な書類に対し、電子スタンプを付与する電子スタンプ付与手段であって、前記電子スタンプ付与手段と前記電子的な書類との間の認証に基づいて、前記電子的な書類に電子スタンプを付与することを特徴とする。または、本発明の別の電子スタンプ付与手段は、対応する電子的な書類に対し、電子スタンプを付与する電子スタンプ付与手段であって、前記電子的な書類に電子スタンプを付与することによって、一定の認証を通過していることの証明として証明ＩＤを前記電子的な書類に付加することを特徴とする。
【発明の効果】
【００１５】
本発明の電子スタンプ付与方法によれば、電子スタンプ付与手段を介して電子スタンプ付与信号が生成され、かかる電子スタンプ付与信号に基づいて獲得した電子スタンプが表示されるので、利用者は電子スタンプが付与されたとの認識を容易に得ることができる。また、あらかじめ設定された電子スタンプ付与条件だけでなく、電子スタンプ付与手段を介して、店舗の裁量により任意に電子スタンプを付与することができる。さらに、電子スタンプ付与手段が電子スタンプ付与処理の一部を実行することにより、携帯端末又はサーバの処理量を軽減できる。その他の効果については、発明を実施するための形態において述べる。
【図面の簡単な説明】
【００１６】
【図１】本発明の電子スタンプ付与方法による電子スタンプの表示の例
【図２】本発明の電子スタンプ付与手段の概略構成図
【図３】本発明の電子スタンプ付与システムの概略構成図
【図４】電子スタンプカード情報管理テーブルの例
【図５】携帯端末管理テーブルの例
【図６】本発明の携帯端末の概略構成図
【図７】電子スタンプカード表示テーブルの例
【図８】本発明の第１の電子スタンプ付与処理の例を示すシーケンス図
【図９】本発明の第２の電子スタンプ付与処理の例を示すシーケンス図
【発明を実施するための形態】
【００１７】
［本発明の概要］
本発明は、店舗の利用者、商品の購入者等（以下「利用者」という）が所持する携帯端末に、電子的なスタンプカード（以下「電子スタンプカード」という）及び電子的なスタンプ（以下「電子スタンプ」という）を提供するものであり、より具体的には、電子スタンプ付与手段を介して、携帯端末に格納された電子スタンプカードに電子スタンプを付与する。
【００１８】
本発明において、店舗とは、各種の商業店舗、飲食店舗、施設などを含むほか、消費者が多く集う街頭、広場、催事場、休憩場所、駅、空港、高速道路のサービスエリア、各種交通機関の車両又は移動体、ランドマーク、公共建築（役所、公民館、学校、病院、図書館）なども含むものとする。
【００１９】
電子スタンプとは店舗の利用などに応じて店舗から付与される情報であり、利用者が各種の特典（優待、割引、プレゼント、現金又は電子マネーとの交換、上位の会員サービスへの加入などを含む）を受けるための得点を示す情報である。電子スタンプカードとは、電子スタンプが付与される電子的な台帳であり、店舗（電子スタンプカード発行者）から発行され、利用者の所持する携帯端末の表示画面に表示可能な情報である。
【００２０】
また、携帯端末に格納された電子スタンプカードに電子スタンプを付与するとは、電子スタンプカードと電子スタンプとを対応付ける処理をいい、表示画面に表示された電子スタンプカードに新たな電子スタンプを表示する処理、及び電子スタンプが付与された電子スタンプカードを表示画面に表示する処理を含む。
【００２１】
図１は、本発明の電子スタンプ付与方法による電子スタンプの表示の例である。図１に示すとおり、利用者の携帯端末の表示画面２０には、電子スタンプカード２３０及び電子スタンプ２４０が表示されている。表示画面２０は、電子スタンプカードの内容（発行店舗、有効期限など）を表示する内容表示領域２５０が設けられてもよい。図１では、表示画面２０に表示される電子スタンプカード２３０のデザインとして、所定の数量のマス（同図では３×５マス）を含む矩形の例を示しているが、これに限定されない。例えば、複数の領域を含む円形、多角形などの図形であってもよいし、目盛が付されたメータ型であってもよい。また、対称的な図形でなく、動植物の絵などであってもよい。また、図１では、電子スタンプカード２３０に付与される電子スタンプのデザインとして、星印の例を示しているが、これに限定されない。各種のマークなどを表示することができるし、電子スタンプカード２３０の分割されたマスなどの配色を変更することによって電子スタンプの獲得状況を視認できるように構成することもできる。また、電子スタンプのデザインとしては実際の画像を取り込んで利用することもでき、実際の印影を電子スタンプのデザインとしてもよい。
【００２２】
本発明では、利用者の店舗の利用に応じて、電子スタンプ付与手段６の操作などを介して、電子スタンプカード２３０に電子スタンプ２４０を付与することができる。図１（Ａ）は電子スタンプを付与する際の状態を示し、図１（Ｂ）は電子スタンプを付与した後の状態を示す。
【００２３】
電子スタンプ付与手段６は、携行可能な大きさ、重さであることが好ましく、利用者又は店舗側のサービス提供者が手で持つことが可能な形状であることがさらに好ましい。電子スタンプ付与手段６は、例えば、ペン型、判子型、押しボタン型などに構成することができる（図２参照）。ただし、これに限定されず、携帯端末を載置する載置部を有するリーダ／ライタのように構成してもよい（図３参照）。
【００２４】
本発明の電子スタンプ付与手段６は、近距離無線通信の機能を有し、携帯端端末との間の近距離無線通信を確立することができるように構成されることが好ましいが、少なくとも自己を特定する付与手段識別情報（以下「付与手段ＩＤ」という）を携帯端末に送信する機能を備えているか、又は携帯端末を特定する携帯端末識別情報（以下「携帯端末ＩＤ」という）を受信する機能を備えていればよい。近距離無線通信としては、携帯端末の構成に応じて、Ｂｌｕｅｔｏｏｔｈ（登録商標）通信、Ｗｉ−Ｆｉ（Wireless Fidelity）通信、ＺｉｇＢｅｅ（登録商標）通信、ＵＷＢ（Ultra Wide Band）通信などを適宜採用することができる。また、近距離無線通信として、非接触ＩＣチップなどを利用するＮＦＣ（Near Field Communication）を採用してもよい。
【００２５】
本発明では、電子スタンプ付与手段６と、その電子スタンプ付与手段に対応する電子スタンプカード２３０を保持する携帯端末との間の認証処理を含む電子スタンプ付与処理に基づいて、電子スタンプカード２３０に電子スタンプ２４０を付与することができる（図８参照）。
【００２６】
ここで、携帯端末が電子スタンプカードを保持するとは、携帯端末が電子スタンプカードを生成するための情報（例えば、図４に示す電子スタンプカード情報管理テーブルに記載の情報）の少なくとも一部を自己の記憶領域に格納することをいう。さらに、自己の記憶領域部に格納しなかったとしても、電子スタンプカードを表示画面において出力可能にすることも含む。認証処理は、携帯端末が本スタンプサービスを受けることができる正当な端末か否かを判定する処理であり、付与手段ＩＤ、携帯ＩＤ、店舗を特定する店舗識別情報（以下「店舗ＩＤ」という）及び発行済みの電子スタンプカードを特定する電子スタンプカード識別情報（以下「カードＩＤ」という）のいずれか一つ以上を用いて、好ましくは二つ以上を用いて実行される。
【００２７】
電子スタンプ付与処理は、かかる認証処理を含み、電子スタンプの生成を許可して、その生成された電子スタンプを対応する電子スタンプカードに付与するための電子スタンプ付与信号を生成する処理を含む。電子スタンプ付与信号は、店舗側が設定した所定の電子スタンプ付与条件に従って、認証処理の過程において又は認証処理と連携して生成される。電子スタンプ付与信号は、携帯端末又は電子スタンプ付与手段が接続するサーバによって生成されることが好ましいが、これに限定されず、携帯端末又は電子スタンプ付与手段によって生成されてもよい。また、電子スタンプ付与信号が店舗端末に接続する場合は、かかる店舗端末によって生成されてもよい。
【００２８】
また、本発明では、上記認証処理の後に、電子スタンプ付与手段又は携帯端末の所定の操作に基づいて、電子スタンプを電子スタンプカードに付与することができる（図９参照）。ここで、所定の操作とは、電子スタンプ付与手段の一部を携帯端末の表示画面に接触させること、電子スタンプ付与手段又は携帯端末が有するボタンを操作することなどを含む。また、電子スタンプ付与手段が店舗に設置される店舗端末（ＰＯＳ端末を含む）と接続される場合、かかる店舗端末を介した操作も含むものとする。
【００２９】
本発明は、必要に応じて店舗が主体的にスタンプを付与したい場合や、店側の裁量によって追加的なスタンプを付与したい場合に適用することができる。例えば、所与の電子スタンプ付与条件には設定されていない利用者の記念日などに電子スタンプを付与したり、天候の悪い日に来店してくれた顧客に電子スタンプを追加的に付与したり、紹介者及び被紹介者にその場で電子スタンプを付与したりすることが容易にできる。このため、既存の電子スタンプ設定条件を頻繁に変更する必要がなく、店舗にとって手間が省ける。また、複雑な電子スタンプ付与条件を設定しなくてもよいので、電子スタンプ付与サービスを提供するためのコストを低減できる。
【００３０】
以下、本発明の実施形態について図面を参照して説明する。なお、本発明は、以下の例に限定されるものではない。
【００３１】
［電子スタンプ付与手段の構成］
電子スタンプ付与手段は、少なくとも、付与手段ＩＤを含む無線信号を携帯端末に送信可能な無線通信部、又は携帯端末からの携帯端末ＩＤを含む無線信号を受信可能な無線通信部を備える。また、携帯端末との間で近距離無線通信を確立する場合、電子スタンプ付与手段の無線通信部は、携帯端末との双方向の無線信号の授受が可能であることが好ましい。また、電子スタンプ付与手段は、外部装置（例えば、店舗端末）と接続する場合、かかる外部装置と接続するための接続部（通信インターフェース）を備えることが好ましい。さらに、電子スタンプ付与手段において電子スタンプ付与処理の一部（図８のＳ１００１、Ｓ１００２、及び図９のＳ１１０２、Ｓ１１０３など）を実行する場合、電子スタンプ付与手段は、情報処理手段（プロセッサ、制御回路など）、記憶手段（半導体メモリなど）を含むことが好ましい。
【００３２】
図２は、本発明の電子スタンプ付与手段の概略構成図である。図２（Ａ）は、ペン型の電子スタンプ付与手段の例である。電子スタンプ付与手段６Ａは、利用者の携帯端末との間で無線通信を確立することができ、携帯端末との間で認証処理を実行することもできる。
【００３３】
電子スタンプ付与手段６Ａは、少なくとも無線通信部６１を備え、記憶部６２、主メモリ６３、情報処理部６４、及び接続部６５を備えている。
【００３４】
無線通信部６１は、無線信号を送信又は受信する機能を有し、無線通信可能に構成された通信インターフェースである。また、無線通信部６１は、携帯端末と無線通信が可能に構成されてもよい。無線通信としては、Ｂｌｕｅｔｏｏｔｈ（登録商標）通信を採用することが好ましいが、ほかに、Ｗｉ−Ｆｉ通信、ＺｉｇＢｅｅ（登録商標）通信、ＵＷＢ通信、ＮＦＣを採用することもできる。さらに、赤外線通信等が可能に構成されてもよい。
【００３５】
接続部６５は、他の機器やローカルエリアネットワーク１５０（図３参照）に接続するためのインターフェースである。また、接続部６５は、ネットワーク１００（図３参照）に直接接続できるように、３Ｇ携帯電話回線、ＰＨＳ回線等を使用可能に構成されてもよいし、有線ＬＡＮを介してネットワーク１５０と接続可能に構成されてもよい。接続部６５を備える場合、電子スタンプ付与手段６Ａは、接続部６５を介して、店舗端末（図３の符号５参照）に接続することもできる。店舗端末に接続する場合、電子スタンプ付与手段６Ａは、例えば、無線通信部６１及び接続部６５のみを有し、店舗端末側の情報処理部からの制御を受けるように構成してもよい。
【００３６】
記憶部６２は、電子スタンプ付与手段を機能させるためのプログラム、及び各種データ（例えば、図４に示す電子スタンプカード情報管理テーブルの一部、図５に示す利用者携帯端末管理テーブルの一部）を格納する。記憶部６２には、不揮発性の各種半導体メモリを採用することができ、特にＳＰＩフラッシュメモリを採用するのが好ましいが、これに限定されない。他の半導体メモリ、ハードディスク等の記憶装置によって構成されてもよい。
【００３７】
主メモリ６３は、後述する情報処理部６４のプロセッサが直接アクセスすることができる揮発性の半導体メモリである。主メモリには、例えば、ＳＤＲＡＭ（Synchronous Dynamic Random Access Memory）を採用してもよい。
【００３８】
情報処理部６４は、各種処理を実行する処理部であり、プロセッサ及びその周辺回路によって構成される。具体的には、情報処理部６４は、図示しないプロセッサによって、記憶部６２に格納されたプログラムを読み出して実行し、ハードウェアとプログラムとを協働させ、各種処理を実現する。本電子スタンプ付与手段は、そのほか電源部（図示省略）などを備えてもよい。
【００３９】
図２（Ｂ）は、ボタン型の電子スタンプ付与手段の例である。電子スタンプ付与手段６Ｂは、少なくとも無線通信部６１を備え、自己の付与手段ＩＤを携帯端末に送信可能に構成される。また、電子スタンプ付与信号７０を生成するためのボタン６６を有し、電子スタンプ付与信号７０を携帯端末に送信可能に構成される。電子スタンプ付与手段６Ｂは、付与される電子スタンプの数を設定可能なダイアル、つまみなどを有してもよい。
【００４０】
図２（Ｃ）は、図２（Ｂ）に示したボタン型の電子スタンプ付与手段の変形例であり、電子スタンプ付与手段６Ｃも、少なくとも無線通信部６１を備え、自己の付与手段ＩＤを携帯端末に送信可能に構成される。電子スタンプ付与手段６Ｃは、サービス提供者（図３の符号４）からの操作を受けて、電子スタンプ付与信号を携帯端末に送信するように構成される。例えば、電子スタンプ付与手段６Ｃは、本体６０の先端部にスライド枠６７を有し、携帯端末の表示画面２０に押し当てられた際に、本体６０がスライド枠６７に対して移動することによって、電子スタンプ付与信号を携帯端末に送信するように構成してもよい。電子スタンプ付与手段６Ｃによれば、実際にスタンプカードに判子でスタンプを押印するように電子スタンプカードにスタンプを付与することができる。
【００４１】
図２（Ｄ）は、判子型の電子スタンプ付与手段の例である。電子スタンプ付与手段６Ｄは、少なくとも無線通信部６１を備え、自己の付与手段ＩＤを携帯端末に送信可能に構成される。また、電子スタンプ付与手段６Ｄは、所定の形状の物理的なパターンを携帯端末のタッチスクリーンに認識させることができる。具体的には、電子スタンプ付与手段６Ｄは、所定のパターン７３が設けられた印面７２を有する支持部材７１を有し、かかる支持部材７１は付与手段本体に対して移動可能に構成される。このため、店舗側のサービス提供者が電子スタンプ付与手段６Ｄを携帯端末のタッチスクリーンに押し当てると、携帯端末において所定のパターン７３が検知され、電子スタンプ付与信号が生成される。図２（Ｄ）では、印面７２の所定のパターン７３として、十字型の例が示されているが、これに限定されない。人間の指先などが触れた場合とは明確に異なるパターンであればよく、円弧や矩形であってもよいし、短い間隔（例えば、５ｍｍ）で配置された少なくとも二つ以上のドットでもよい。これによって、印面７２をタッチスクリーンに押印する際は、タッチスクリーン上で人間の指とは異なったパターンが検知されるので、利用者がタッチスクリーンに触れた場合でも、電子スタンプ付与信号が誤って生成されることを防ぐことができる。また、携帯端末のタッチスクリーンが所定のパターンを検知する代わりに、携帯端末に搭載されたカメラなどによって、所定のパターンを認識するように構成してもよい。
【００４２】
以上、本発明の電子スタンプ付与手段について説明したが、電子スタンプ付与手段の構成は、図２の各図に示した構成に限定されない。各図に示した構成を組み合わせてもよいし、相互に置換してもよい。例えば、図２（Ｂ）に示したボタン６６を図２（Ａ）の電子スタンプ付与手段に設けてもよいし、図２（Ａ）に示した情報処理部６４などの構成を図２（Ｂ）乃至図２（Ｄ）の電子スタンプ付与手段に追加してもよい。また、印面に氏名、名称、会社名等を印字して、実際の判子に近い態様としてもよい。電子スタンプ付与手段の形状も上記各図の構成に限定されない。ほかに、例えば、バーコードスキャナのような形状、銃把のような形状、半球状の呼び鈴のような形状であってもよい。
【００４３】
さらに、電子スタンプ付与手段６は、店舗端末（管理端末、ＰＯＳ端末を含む）と、無線又は有線通信によって接続され、店舗端末と協働して各種の処理を実現する構成としてもよいし、店舗端末と一体に構成されてもよい。この場合、各種処理を実行する情報処理部などは電子スタンプ付与手段本体が備えるのではなく、店舗端末側が備える構成としてもよい。
【００４４】
［電子スタンプ付与システムの構成］
図３は、本発明の実施形態の電子スタンプ付与システムの概略構成図である。本電子スタンプ付与システムは、少なくともネットワーク１００に接続可能なサーバ８及び無線通信機能を有する電子スタンプ付与手段６（図２参照）を備え、無線通信機能を有する携帯端末２を接続する。また、必要に応じて、店舗端末５を備えてもよい。
【００４５】
ネットワーク１００は、特に限定されるものではなく、例えば、公衆電話網、ＩＳＤＮ（Integrated Service Digital Networkの略。デジタル総合サービス網とも呼ばれる。）、ＡＤＳＬ（Asymmetric Digital Subscriber Line）、ＣＡＴＶ（Community Antenna TeleVision）網、光ファイバー網、無線ＬＡＮ（Local Area Network）、ＣＳ（Communication Satellite）放送、移動電話網等を利用することができる。
【００４６】
店舗１に配置される店舗端末５、電子スタンプ付与手段６、及び店舗１に来店した利用者３の携帯端末２は、店舗１内に形成されたローカルエリアネットワーク１５０を介して、ネットワーク１００に接続してもよい。ローカルエリアネットワーク１５０も特に限定されるものではないが、Ｗｉ−Ｆｉ通信などによる無線ＬＡＮ、Ｅｔｈｅｒｎｅｔ（登録商標）などによる有線ＬＡＮなどを採用することができる。
【００４７】
サーバ８は、ネットワーク１００など介して、携帯端末２に電子スタンプを提供する。サーバ８としては、サーバ、一つ又は複数のパーソナルコンピュータ、若しくはサーバとパーソナルコンピュータを組合せて使用することができる。サーバ８は、ネットワーク１００に接続する機能、電子スタンプカード及び電子スタンプを管理する機能、携帯端末２と電子スタンプ付与手段６との間の認証処理などに基づいて電子スタンプ付与信号を生成する機能、本サービスに加入する携帯端末２及び店舗１に関する情報を管理する機能などを有する。また、電子スタンプ付与手段などの所定の操作により生成された電子スタンプ付与信号に基づいて対応する電子スタンプを検索し、該当する電子スタンプを携帯端末に提供する機能を有する。サーバ８には、データベース８０が構成されてもよく、データベース８０には、電子スタンプカード及び電子スタンプを提供するための各種の情報（図４及び図５参照）が格納される。
【００４８】
店舗端末５は、店舗側のサービス提供者４が電子スタンプカード及び電子スタンプに関する情報の設定をする管理端末であり、ＰＯＳ（Point Of Sales）端末を含むことが好ましい。店舗端末５には、例えば、パーソナルコンピュータ等を採用することができる。
【００４９】
なお、サーバ８は、携帯端末２から送信される位置情報（ＧＰＳ信号に基づく測位）に基づいて、所定の位置からの所定の距離範囲に存在する携帯端末２にネットワーク１００を介して電子スタンプカード及び電子スタンプを送信してもよい。所定の位置とは、店舗１の位置であることが好ましいが、これに限定されず、緯度経度により任意に設定することができる。所定の距離範囲も任意に設定することができる。
【００５０】
サーバ８を運営する事業者又は店舗のサービス提供者は、立地、周辺環境、天候などに応じて距離範囲を適宜設定することができる（例えば、１００ｍ、５００ｍ、１ｋｍなど）。また、サーバ８は、ＧＰＳによる携帯端末の位置情報を取得できない場合、店舗に設置される無線端末（図示省略）から無線通信可能な距離範囲内に存在する携帯端末２に電子スタンプカード及び電子スタンプを送信してもよい。この無線通信は、Ｗｉ−Ｆｉを採用するのが好ましいが、これに限定されない。例えば、Ｂｌｕｅｔｏｏｔｈ（登録商標）、ＺｉｇＢｅｅ（登録商標）、ＵＷＢなどを採用してもよい。
【００５１】
無線端末を配置する場合、電子スタンプの一部は、かかる無線端末から無線通信可能な距離範囲内に存在する携帯端末２に提供することができる。具体的には、携帯端末２は、無線端末から送信される接続要求信号を受信すると、その接続要求信号に含まれる無線端末の無線端末識別情報（以下「無線端末ＩＤ」という）を抽出し、抽出した無線端末ＩＤを自己の携帯端末ＩＤととものサーバ８に送信する。サーバ８は、各ＩＤに基づいて、当該携帯端末２への電子スタンプ付与処理を実行する。なお、かかる無線通信可能な距離範囲は、無線通信の方式によって設定されるが、Ｗｉ−Ｆｉを採用した場合は約５０ｍとなる。また、電子スタンプの一部は、ネットワーク１００又は１５０を介在させず、店舗１に設置されたＩＣカードリーダ／ライタなどにより、直接携帯端末に提供することもできる。
【００５２】
図４は、サーバが保持する電子スタンプカード情報管理テーブルの例である。電子スタンプカード情報管理テーブル８００は、携帯端末に対して電子スタンプカード及び電子スタンプを提供するための情報であり、電子スタンプカードの発行元である店舗、かかる店舗で使用される電子スタンプ付与手段、店舗から発行される電子スタンプカード及び電子スタンプに関する情報などを管理するためのテーブルである。
【００５３】
電子スタンプカード情報管理テーブル８００は、少なくとも、店舗ＩＤ８０１、付与手段ＩＤ８０２、カードＩＤ８０３、カードデザイン８０４、スタンプデザイン８０５、内容８０６を有する。また、スタンプ付与条件８０７、店舗の位置情報（図示省略）、所定の距離範囲（図示省略）などを有してもよい。
【００５４】
店舗ＩＤ８０１は、本サービスに加入する店舗を一意に識別するための識別情報である。付与手段ＩＤ８０２は、店舗で使用される電子スタンプ付与手段を一意に識別するための識別情報である。付与手段ＩＤは、当該手段に固有の情報であればよく、例えば、ＩＰアドレス、ＭＡＣアドレス、無線ＬＡＮにおける識別子として利用されるＳＳＩＤ（Service Set Identifier）、ＢＳＳＩＤ（Basic Service Set Identifier）、製造番号又は製造番号などに基づいて生成されたハッシュ値などを採用することができる。
【００５５】
カードＩＤ８０３は、店舗から発行された電子スタンプカードを一意に識別するための識別情報である。カードデザイン８０４は、電子スタンプカードが表示画面上で表示される際の意匠を示す情報である。スタンプデザイン８０５は電子スタンプが表示画面上で表示される際の意匠を示す情報である。内容８０６は、店舗などによって作成された電子スタンプカードの内容を示す情報（発行店舗、発行年月日、有効期限など）であり、携帯端末の表示画面の内容表示領域（図１の符号２５０）に表示させてもよい。
【００５６】
スタンプ付与条件８０７は、店舗のサービス提供者が設定する電子スタンプを付与する際の条件である。例えば、所定の位置から一定の距離範囲内に接近した時に電子スタンプ１個付与、来店時に電子スタンプ１個付与、店内に設置されたリーダ／ライタで受けると際は電子スタンプ２個、商品の購入時に１００円毎に１個付与などと設定される。
【００５７】
なお、図４の店舗Ｂにおいて発行された電子スタンプカードのように、カードＩＤが付与手段ＩＤを含むものとすれば、電子スタンプカードに対応する電子スタンプ付与手段を容易に特定することができ、付与手段ＩＤからも対応する電子スタンプカードを特定することができる。
【００５８】
図５は、サーバが保持する携帯端末管理テーブルの例である。携帯端末管理テーブル８１０は、少なくとも、携帯端末ＩＤ８１１、カードＩＤ８１２、及びスタンプ数８１３を有し、利用者情報８１４、携帯端末の位置情報（図示省略）などを有してもよい。
【００５９】
携帯端末ＩＤ８１１は、利用者の所持する携帯端末を一意に識別する識別情報である。携帯端末ＩＤは、ネットワークにおいて携帯端末を特定可能であればよく、例えば、ＩＭＥＩ（International Mobile Equipment Identity）番号、携帯電話番号などでよい。
【００６０】
カードＩＤ８１２は、携帯端末の記憶領域に格納された電子スタンプカードの識別情報である。スタンプ数８１３は、カードＩＤ８１２によって特定される電子スタンプカードに付与されている電子スタンプの数量を示す。利用者情報８１４は、利用者の氏名、年齢、生年月日、性別、職業又は職種、家族構成、住所などを含む。利用者は、本サービスに加入する際、あらかじめこれらの属性を登録しておくことが好ましい。
位置情報８１５は、携帯端末の現在の位置情報を示し、携帯端末から送信されたＧＰＳ測位による位置情報が格納される。
【００６１】
［携帯端末の構成］
本発明の携帯端末は、少なくとも、無線通信機能、及びネットワークに接続する機能を有していればよい。携帯端末は、多機能携帯電話（スマートフォン、ｉ−ｐｈｏｎｅ（登録商標）、Ａｎｄｒｏｉｄ（登録商標）など）であることが好ましいが、これに限定されない。パーソナルコンピュータ、タブレット端末、ＰＤＡ（Personal Digital Assistant）、カーナビ等であってもよい。
【００６２】
図６は、本サービスを利用する携帯端末２の概略構成図である。携帯端末２は、表示画面２０、無線通信部２１、表示画面制御部２２、主メモリ２３、記憶部２４、情報処理部２５、ＧＰＳ通信部２６、ネットワーク通信部２７、加速度及び角速度検知部２８、カメラ部２９、音声制御部３１、音声出力部３２、音声入力部３３、操作入力部３４、計時部３５、及び電源部（図示省略）などを備える。なお、同図に示した構成は一例であって、携帯端末２は、その利用形態によって種々の構成を採用しうる。
【００６３】
無線通信部２１は、近距離無線通信を可能に構成された通信インターフェースであり、Ｂｌｕｅｔｏｏｔｈ（登録商標）に対応し、電子スタンプ付与手段とペアリングが可能であることが好ましい。ただし、これに限定されず、少なくとも、無線通信部２１は、電子スタンプ付与手段の付与ＩＤを受信可能であるか、又は自己の携帯端末ＩＤを電子スタンプ付与手段に送信可能であればよい。
【００６４】
記憶部２４は、不揮発性の半導体メモリによって構成される。記憶部２４は、後述する情報処理部２５が実行する各種プログラム２１０、及び各種データ（例えば、図７に示す電子スタンプカード表示テーブル）を格納する。
【００６５】
主メモリ２３は、後述する情報処理部２５のプロセッサ(図示省略)が直接アクセスすることができる揮発性の半導体メモリである。主メモリ２３は、プロセッサによって実行される各種プログラムを格納する。
【００６６】
情報処理部２５は、携帯端末２の各種処理を実行する。情報処理部２５は、図示しないプロセッサによって、記憶部２４に格納された各種プログラムを主メモリ２３にロードし、ロードされた各種プログラムを読み出し、ハードウェアとプログラムとを協働させて各種プログラムの処理を実現する。
【００６７】
ＧＰＳ通信部２６は、ＧＰＳ信号を受信可能に構成された通信インターフェースである。ネットワーク通信部２７は、適当な中継装置、アクセスポイント、基地局などを介してネットワーク１００に接続可能に構成された通信インターフェースであり、３Ｇ携帯電話回線、ＰＨＳ回線等を使用可能であることが好ましい。
【００６８】
加速度及び角速度検知部２８は、重力加速度及び角速度の変化によって、携帯端末２の姿勢、運動の方向などを検知するセンサである。加速度及び角速度検知部２８は、Ｘ、Ｙ、Ｚ軸への加速度及びこれらの各軸回りの角速度を検知可能に構成されることが好ましい。カメラ部２９は、光学系及び撮像素子を備え、動画像、静止画像を撮影することができるほか、各コードを読み取り可能であることが好ましい。
【００６９】
表示画面制御部２２は、表示画面２０における再生表示を制御する。表示画面２０は、図１にも示したが、電子スタンプカード及び電子スタンプのほか、動画、静止画などの各種コンテンツを再生表示する画面であり、ＬＣＤ（Liquid Crystal Display）のほか、有機ＥＬディスプレイ（Organic Electroluminescence Display）、ＰＤＰ（Plasma Display Panel）、ＦＥＤ（Field Emission Display）、電子ペーパ等を採用することができる。表示画面２０は、タッチスセンサの機能を有することが好ましい。
【００７０】
音声制御部３１は、携帯広告コンテンツの音声を音声出力部３２において出力し、音声入力部３３から入力された音声を処理する。これらは、専用の音声処理回路、スピーカ、マイク、イヤホン、ヘッドホンなどによって構成される。
【００７１】
操作入力部３４は、利用者の各種操作が入力される物理的なユーザインターフェース又はソフトウェアで実現されるＧＵＩであり、例えば、各種押しボタンスイッチ、４方向移動スイッチなどによって構成される。操作入力部３４は、タッチセンサなどを備えた表示画面２０によって構成されてもよい。計時部３５は、内部時計を用いて時刻を計時する。電源部（図示省略）は、専用の電源回路によって構成され、各部に電力を供給する。
【００７２】
［電子スタンプカード表示処理］
サーバ８は、図４及び図５に示した情報の少なくとも一部を携帯端末２に送信し、携帯端末２は、サーバ８から受信した電子スタンプカードを生成するための情報を自己の記憶領域に格納する。そして、携帯端末２は、かかる電子スタンプカードを生成するための情報（図７参照）を用いて、表示画面２０に電子スタンプカード及び電子スタンプを表示することができる。
【００７３】
図７は、携帯端末が保持する電子スタンプカード表示テーブルの例である。電子スタンプカード表示テーブル２００は、少なくとも、店舗ＩＤ２０１、付与手段ＩＤ２０２、カードＩＤ２０３、スタンプ数２０４、カードデザイン２０５、スタンプデザイン２０６、及び内容２０７を有する。また、スタンプ付与条件（図示省略）などを有してもよい。
【００７４】
店舗ＩＤ２０１及び付与手段ＩＤ２０２は、各々、図４に示した電子スタンプカード情報管理テーブル８００の店舗ＩＤ８０１及び付与手段ＩＤ８０２に対応する。カードＩＤ２０３及びスタンプ数２０４は、各々、図５に示した携帯端末管理テーブル８１０のカードＩＤ８１２及びスタンプ数８１３に対応する。カードデザイン２０５、スタンプデザイン２０６及び内容２０７は、各々、図４に示した電子スタンプカード情報管理テーブル８００のカードデザイン８０４、スタンプデザイン８０５及び内容８０６に対応する。
【００７５】
[電子スタンプ付与処理]
本発明の電子スタンプ付与システムは、図４、図５及び図７に示した各種テーブルを用いて電子スタンプを付与する処理を実行することができる。
【００７６】
図８は、電子スタンプ付与システムにおける第１の電子スタンプ付与処理の例を示すシーケンス図である。本例は、認証処理において電子スタンプ付与信号が生成される場合を示す。本例では、電子スタンプ付与手段６と携帯端末２との間で無線通信を確立しなくてもよい。
【００７７】
はじめに、電子スタンプ付与手段６から携帯端末２へ接続要求信号が送信され（Ｓ１００１）、携帯端末２は、かかる接続要求信号に含まれる付与手段ＩＤを取得する。なお、携帯端末２から電子スタンプ付与手段６へ接続要求信号が送信され、電子スタンプ付与手段６が、かかる接続要求信号に含まれる携帯端末ＩＤを取得する構成としてもよい。次いで、認証処理が実行される（Ｓ１００２）。
【００７８】
認証処理は、システムの構成などに応じて、適宜の方法を採用することができる。例えば、携帯端末２が、自己の携帯端末ＩＤ、電子スタンプ付与手段６の付与手段ＩＤ、及びカードＩＤなどをサーバ８に通知し、サーバ８が図４に示す電子スタンプカード情報管理テーブル８００と図５に示す携帯端末管理テーブル８１０を参照し、携帯端末２（に格納された電子スタンプカード）が電子スタンプを受け取ることが可能であるか否か認証することができる。また、これに限定されず、携帯端末２が、図７に示す電子スタンプカード表示テーブル２００を参照し、取得した付与手段ＩＤに基づいて、当該電子スタンプ付与手段６から電子スタンプを受け取ることが可能であるか否か認証してもよい。
【００７９】
また、電子スタンプ付与手段６又はそれに接続された店舗端末５が、図４に示す電子スタンプカード情報管理テーブル８００及び図５に示す携帯端末管理テーブル８１０の一部を有してもよく、各テーブルを参照し、取得した携帯端末ＩＤに基づいて、携帯端末２（に格納された電子スタンプカード）が電子スタンプを受け取ることが可能であるか否か認証してもよい。さらに、電子スタンプ付与手段６又は店舗端末５が、取得した携帯端末ＩＤをサーバ８に通知し、サーバ８が認証処理を実行してもよい。
【００８０】
サーバ８は、かかる認証処理において、電子スタンプカード情報管理テーブル８００のスタンプ付与条件８０７を参照し、かかるスタンプ付与条件８０７を満たしている場合、電子スタンプ付与信号を生成することが好ましい。なお、スタンプ付与条件として、購入金額に応じて電子スタンプを付与する構成とする場合は、管理端末（ＰＯＳ端末）５から利用者が購入した商品の金額又は金額に応じたスタンプ数に関する情報をサーバ８に通知することが好ましい。
【００８１】
次いで、サーバ８は、電子スタンプ付与信号を携帯端末２に送信する（Ｓ１００３）。ただし、これに限定されず、携帯端末２、付与手段６又は店舗端末５が電子スタンプ付与信号を生成してもよい。電子スタンプ付与信号は、少なくとも電子スタンプを付与する対象である電子スタンプカードのカードＩＤと付与するスタンプの数量を含む。
【００８２】
次いで、携帯端末２は、電子スタンプ付与信号に基づいて、図７に示す電子スタンプカード表示テーブル２００の更新処理を実行する（Ｓ１００４）。具体的には、電子スタンプカード表示テーブル２００のスタンプ数２０４を書き換える。そして、携帯端末２は、書換えられた電子スタンプカード表示テーブル２００に基づいて、電子スタンプを表示画面に表示する処理を実行する（Ｓ１００５）。携帯端末２は、サーバ８に対して電子スタンプカード情報管理テーブル８００の更新を要求する（Ｓ１００６）。具体的には、自己の電子スタンプカード表示テーブル２００を書き換えたことを示す情報をサーバ８に通知すればよい。最後にサーバ８は、自己の電子スタンプカード情報管理テーブル８００を更新する（Ｓ１００７）
図９は、電子スタンプ付与システムにおける第２の電子スタンプ付与処理の例を示すシーケンス図である。本例は、認証処理の後、電子スタンプ付与手段６の所定に操作に基づいて電子スタンプ付与信号が生成される場合を示す。本例では、電子スタンプ付与手段６と携帯端末２との間で無線通信を確立することが好ましい。
【００８３】
はじめに、電子スタンプ付与手段６と携帯端末２との間で、例えば、Ｂｌｕｅｔｏｏｔｈ（登録商標）通信を確立するためのペアリングが実行される（Ｓ１１０１）。次いで、認証処理が実行される（Ｓ１１０２）。認証処理については、図８のＳ１００２と同様であるので詳細は省略する。認証処理が完了すると、携帯端末２は電子スタンプ付与信号に基づいて、自己の記憶領域に格納された電子スタンプカードに電子スタンプを付与することが可能な状態となる。
【００８４】
そして、電子スタンプ付与手段６において（又は電子スタンプ付与手段６を介して）所定の操作がなされると、電子スタンプ付与信号が生成される（Ｓ１１０３）。具体的には、例えば、図２（Ａ）に示すペン型の電子スタンプ付与手段６Ａを使用する場合、所定の操作として、電子スタンプ付与手段６Ａのペン先が携帯端末２の表示画面（タッチスクリーン）に接触させられると、携帯端末２は、ペン先の接触を検知して、電子スタンプ付与信号が生成してもよい。また、所定の操作として、電子スタンプ付与手段６Ａに接続された店舗端末５を介して「Ｅｎｔｅｒ」などの操作がなされると、電子スタンプ付与手段６Ａは電子スタンプ付与信号を生成し、生成した電子スタンプ付与信号を携帯端末２に送信してもよい。
【００８５】
また、図２（Ｂ）に示す押しボタン型の電子スタンプ付与手段６Ｂを使用する場合、所定の操作として、電子スタンプ付与手段６Ｂのボタン６６が操作されると、電子スタンプ付与手段６Ｂは電子スタンプ付与信号を生成し、生成した電子スタンプ付与信号を携帯端末２に送信してもよい。図２（Ｃ）に示す電子スタンプ付与手段６Ｃを使用する場合、所定の操作として、電子スタンプ付与手段６Ｂの一部が可動すると、電子スタンプ付与手段６Ｃは電子スタンプ付与信号を生成し、生成した電子スタンプ付与信号を携帯端末２に送信してもよい。さらに、図２（Ｄ）に示す判子型の電子スタンプ付与手段６Ｄを使用する場合、所定の操作として、印面が携帯端末のタッチスクリーンに押し当てられると、携帯端末２は、印面の所定のパターンが押印されたことを検知して、電子スタンプ付与信号を生成してもよい。
【００８６】
そして、携帯端末２は、かかる電子スタンプ付与信号を受けて、図７に示す電子スタンプカード表示テーブル２００の更新処理を実行する（Ｓ１１０４）。Ｓ１１０４以降の処理は、図８に示した処理と同様であるので詳細は省略する。なお、ペアリングが不要な通信を利用する場合は、Ｓ１１０１のペアリング処理は不要である。
【００８７】
［課金処理］
本発明の電子スタンプ付与方法では、サービスの事業者（サーバ管理者）は、電子スタンプ付与手段を備える店舗に対して、店舗毎に発行した電子スタンプカードの発行枚数及び／又はその電子スタンプカードに付与された電子スタンプの個数に応じて、所定の金額を課金することもできる。例えば、ある店舗が１００枚の電子スタンプカードを発行した場合、１枚につき１０円、つまり合計で１０００円を課金してもよい。また、電子スタンプカードの発行自体は無料とし、電子スタンプカードが満了となった場合に課金するようにしてもよい。また、電子スタンプカードに付与された電子スタンプの数に応じて、例えば、電子スタンプ１個につき１円を課金するようにしてもよい。さらに、電子スタンプの個数に応じて課金された金額のうちの所定の割合を、携帯端末の利用者に還元することもできる。例えば、１０個の電子スタンプが付与された電子スタンプカードの場合、電子スタンプ１個につき１円、すなわち、１０円を店舗に対して課金し、例えばその２０％、すなわち、２円を利用者に還元するようにしてもよい。また、現金を還元するだけでなく、電子マネー、ポイントなどで還元してもよい。
【００８８】
［電子スタンプカード以外の用途］
本発明の電子スタンプ付与手段は、電子スタンプカードに電子スタンプを付与する以外にも、押印が必要な電子的な書類において、電子的に押印するために利用することも可能である。電子スタンプ付与手段は、電子スタンプカードに電子スタンプを付与するように、当該付与手段によって書類に押印することが可能であるか否か認証し、可能な場合には、書類に押印を付与する。また、電子スタンプ付与手段によって押印された事により、その電子的な書類に対し、一定の認証を通過していることの証明として活用する事も可能である。例えば、前者であれば、電子的な書類のＩＤと付与手段ＩＤとに基づいて、両者を認証することで書類に押印を付与してもよいし、後者であれば、押印後、電子的な書類に対し、付与手段ＩＤ又はそれに対応する証明ＩＤを証明情報として付加することで証明としてもよく、アナログに例えると書類に押印した印鑑の印影を事前に登録する事により、本人証明（個人認証）に印鑑証明を添付するのと同様な場面に適用できる。なお、この用途では、電子的な書類は、携帯端末に保持されている場合だけではなく、パーソナルコンピュータ等に保持されている場合にも適用可能とされることが好ましい。
【００８９】
以上説明したとおり、本発明の電子スタンプ付与手段の操作を介して電子スタンプ付与信号が生成され、かかる電子スタンプ付与信号に基づいて獲得した電子スタンプが表示されるので、利用者は電子スタンプが付与されたとの認識を容易に得ることができる。また、あらかじめ設定された電子スタンプ付与条件に加えて、適宜の電子スタンプ付与手段を介して、店舗の裁量により電子スタンプを任意に付与することができる。これにより、電子スタンプ付与条件を頻繁に設定し直す必要がない。また、本発明の一態様によれば、紙媒体のスタンプカードに対する物理的な押印に近い電子押印の操作を実現することができる。また、本発明の一態様によれば、電子スタンプカード又は電子スタンプの数量に応じて、店舗への課金、利用者への還元をすることができる。本発明の一態様によれば、電子スタンプ付与手段が電子スタンプ付与処理の一部を担うので、携帯端末又はサーバの処理量を一部軽減することができる。
【符号の説明】
【００９０】
１  店舗
２  携帯端末
３  利用者
４  サービス提供者
５  店舗端末
６  電子スタンプ付与手段
８  サーバ
２０  表示画面
７０  電子スタンプ付与信号
１００  ネットワーク
【図１】
2016106286.tif 000003
【図２】
2016106286.tif 000004
【図３】
2016106286.tif 000005
【図４】
2016106286.tif 000006
【図５】
2016106286.tif 000007
【図６】
2016106286.tif 000008
【図７】
2016106286.tif 000009
【図８】
2016106286.tif 000010
【図９】
2016106286.tif 000011